(57)【特許請求の範囲】
【請求項１】
所定の第一方向に延び、第一部分と、前記第一部分よりも前記第一方向の一方側にある第二部分とを有する軸棒と、
前記第一部分に連結し、前記軸棒を回転駆動する駆動手段と、
前記第二部分に連結し、前記軸棒の回転に伴って前記第一方向に延びる第一軸線を中心に回転する回転体と、
前記第一方向に前記回転体と対向する第一対向部を有し、前記第一軸線と平行な第二軸線を中心に揺動する揺動部材と、
前記回転体および前記第一対向部のいずれか一方において、前記第一軸線および前記第二軸線のそれぞれから離隔する位置に設けられ、前記第二軸線から離隔する第二方向に長さを有する第一穴を形成する第一開口壁部と、
前記回転体および前記第一対向部のいずれか他方において、前記第一軸線および前記第二軸線のそれぞれから離隔する位置に設けられ、前記第一穴に前記第二方向に移動可能に挿入される第一挿入部と、
前記揺動部材と対向する第二対向部と、前記第一方向と交差する第三方向に延びる歯部とを有し、前記第三方向に移動可能なラックと、
前記第二対向部および前記揺動部材のいずれか一方において、前記第一軸線および前記第二軸線のそれぞれから離隔する位置に設けられ、前記第二方向に長さを有する第二穴を形成する第二開口壁部と、
前記第二対向部および前記揺動部材のいずれか他方において、前記第一軸線および前記第二軸線のそれぞれから離隔する位置に設けられ、前記第二穴に前記第二方向に移動可能に挿入される第二挿入部と、
前記歯部に噛み合うギヤと、
前記第一方向に延び、前記第一方向の一方側の第一端部が前記ギヤに連結された可動役物であって、前記ギヤの回転に伴って移動する可動役物とを備えたことを特徴とする演出装置。
【請求項２】
前記可動役物は、前記ギヤが回転することで回転し、
前記可動役物の回転中心を通る第三軸線は、前記ギヤの回転中心を通ることを特徴とする請求項１に記載の演出装置。
【請求項３】
前記第三軸線上に設けられ、前記可動役物の前記第一端部を回転可能に支持する第一支持部と、
前記第三軸線上に設けられ、前記可動役物の前記第一方向の他方側の第二端部を回転可能に支持する第二支持部とを備え、
前記可動役物は、前記第一端部から前記第二端部まで、前記第三軸線から離隔する方向に膨らんでいることを特徴とする請求項２に記載の演出装置。
【発明の詳細な説明】
【技術分野】
【０００１】
本発明は、遊技の演出を行う演出装置に関する。
【背景技術】
【０００２】
従来、遊技の演出を行う演出装置が知られている。例えば、特許文献１に記載の遊技機は、演出装置として、ステップモータ、カムギヤ、演出部材、軸部、およびレバーを備える。ステップモータは、カムギヤと連結する。カムギヤは長孔を有する。演出部材は、所定方向に長い可動役物である。レバーは、演出部材の一端部に固定されると共に、軸部によって回転可能に支持される。レバーは、カムギヤの長孔に移動可能に挿通されるピンを有する。ステップモータの駆動に伴ってカムギヤが回転すると、長孔を形成する壁部は、ピンを押す。レバーが軸部を中心に回転することによって、演出部材が回動する。このように、遊技機は、演出部材を回動する演出を実行している。
【先行技術文献】
【特許文献】
【０００３】
【特許文献１】特開２００８−２００１９３号公報
【発明の概要】
【発明が解決しようとする課題】
【０００４】
上記遊技機において、例えば、ステップモータとカムギヤとの間の距離が離れている場合がある。この場合、ステップモータの動力をカムギヤに伝達するために、複数のギヤ、または大きなギヤを介することが考えられる。しかしながら、この場合、演出装置が大型化する問題が生じる。さらに、ステップモータとカムギヤとの間に例えば他の部材を配置することが困難になる。
【０００５】
本発明の目的は、大型化を抑制しつつ、駆動手段と回転体との間に空間を確保できる演出装置を提供することである。
【課題を解決するための手段】
【０００６】
本発明に係る演出装置は、所定の第一方向に延び、第一部分と、前記第一部分よりも前記第一方向の一方側にある第二部分とを有する軸棒と、前記第一部分に連結し、前記軸棒を回転駆動する駆動手段と、前記第二部分に連結し、前記軸棒の回転に伴って前記第一方向に延びる第一軸線を中心に回転する回転体と、前記第一方向に前記回転体と対向する第一対向部を有し、前記第一軸線と平行な第二軸線を中心に揺動する揺動部材と、前記回転体および前記第一対向部のいずれか一方において、前記第一軸線および前記第二軸線のそれぞれから離隔する位置に設けられ、前記第二軸線から離隔する第二方向に長さを有する第一穴を形成する第一開口壁部と、前記回転体および前記第一対向部のいずれか他方において、前記第一軸線および前記第二軸線のそれぞれから離隔する位置に設けられ、前記第一穴に前記第二方向に移動可能に挿入される第一挿入部と、前記揺動部材と対向する第二対向部と、前記第一方向と交差する第三方向に延びる歯部とを有し、前記第三方向に移動可能なラックと、前記第二対向部および前記揺動部材のいずれか一方において、前記第一軸線および前記第二軸線のそれぞれから離隔する位置に設けられ、前記第二方向に長さを有する第二穴を形成する第二開口壁部と、前記第二対向部および前記揺動部材のいずれか他方において、前記第一軸線および前記第二軸線のそれぞれから離隔する位置に設けられ、前記第二穴に前記第二方向に移動可能に挿入される第二挿入部と、前記歯部に噛み合うギヤと、前記第一方向に延び、前記第一方向の一方側の第一端部が前記ギヤに連結された可動役物であって、前記ギヤの回転に伴って移動する可動役物とを備えたことを特徴とする。
【０００７】
上記態様によれば、軸棒の第一部分には駆動手段が連結され、第二部分には回転体が連結されている。このため、駆動手段が軸棒を回転駆動すると、軸棒の回転に伴って回転体が回転する。また、第二方向に長さを有する第一穴を形成する第一開口壁部が、回転体および第一対向部のいずれか一方において、第一軸線および第二軸線のそれぞれから離隔する位置に設けられている。第一挿入部が、回転体および第一対向部のいずれか他方において、第一軸線および第二軸線のそれぞれから離隔する位置に設けられている。第一穴には、第一挿入部材が第二方向に移動可能に挿入される。このため、回転体が回転した場合、第一挿入部は第一穴を第二方向に移動しながら第一開口壁部を押圧する。これにより、揺動部材は、第二軸線を中心に揺動する。第二方向に長さを有する第二穴を形成する第二開口壁部が、第二対向部および揺動部材のいずれか一方において、第一軸線および第二軸線のそれぞれから離隔する位置に設けられている。第二挿入部が、第二対向部および揺動部材のいずれか他方において、第一軸線および第二軸線のそれぞれから離隔する位置に設けられている。第二穴には、第二挿入部が第二方向に移動可能に挿入されている。このため、揺動部材の揺動に伴って、ラックが第三方向に移動する。ラックが第三方向に移動すると、第三方向に延びるラックの歯部に噛み合うギヤが回転する。ギヤの回転に伴って、可動役物が移動する。これによれば、演出装置は、軸棒の回転によって可動役物を移動させるために、少なくとも、１つの回転体およびギヤを配置するための空間と、揺動部材が揺動する空間と、ラックが移動する空間とを確保するだけでよい。従って、ラックが第三方向に移動するため、演出装置は、軸棒と可動役物とが離れて配置されても、大型化を抑制できる。さらに、駆動手段の駆動力は、一本の軸棒によって回転体に伝達される。このため、演出装置は、駆動手段と回転体との間に空間を確保できる。従って、演出装置は、大型化を抑制しつつ、駆動手段と回転体との間に空間を確保できる。
【０００８】
本発明に係る演出装置において、前記可動役物は、前記ギヤが回転することで回転し、前記可動役物の回転中心を通る第三軸線は、前記ギヤの回転中心を通ってもよい。この場合、可動役物の回転中心を通る第三軸線がギヤの回転中心を通るため、ギヤは、回転することで例えば他のギヤ等を介さずに可動役物を回転できる。従って、演出装置は、大型化を抑制しつつ、可動役物を回転できる。
【０００９】
本発明に係る演出装置は、前記第三軸線上に設けられ、前記可動役物の前記第一端部を回転可能に支持する第一支持部と、前記第三軸線上に設けられ、前記可動役物の前記第一方向の他方側の第二端部を回転可能に支持する第二支持部とを備え、前記可動役物は、前記第一端部から前記第二端部まで、前記第三軸線から離隔する方向に膨らんでいてもよい。この場合、可動役物は、第一端部から第二端部まで第三軸線から離隔する方向に膨らんでいる。このため、可動役物の回転軌跡は、第三軸線の周りを通る。従って、演出装置は可動役物が回転しても、第一端部と第二端部との間に空間を確保できる。
【図面の簡単な説明】
【００１０】
【図１】遊技機１の正面図である。
【図２】遊技盤２の正面図である。
【図３】ケース体３０の正面図である。
【図４】第一可動役物１５０が第一位置にあるときの第一演出装置１００を右前上方から見た斜視図である。
【図５】第一演出装置１００を左前上から見た分解斜視図である。
【図６】第一演出装置１００を右前上から見た分解斜視図である。
【図７】第一可動役物１５０が第一位置にある場合において、左サイドカバー１２１を取り除いた第一演出装置１００を左方から見た側面図である。
【図８】第一可動役物１５０が第一位置にある場合において、右サイドカバー１２２を取り除いた第一演出装置１００を右方から見た側面図である。
【図９】第一可動役物１５０が第二位置にある場合において、左サイドカバー１２１を取り除いた第一演出装置１００を左方から見た側面図である。
【図１０】第一可動役物１５０が第二位置にある場合において、右サイドカバー１２２を取り除いた第一演出装置１００を右方から見た側面図である。
【発明を実施するための形態】
【００１１】
本発明の一実施形態である第一演出装置１００を備えた遊技機１について、図面を参照して説明する。以下の説明では、図１の手前側、奥側、上側、下側、左側、右側を、それぞれ、遊技機１の前側（正面側）、後側（背面側）、上側、下側、左側、右側とする。
【００１２】
図１および図２を参照して、遊技機１の概略構成を説明する。図１に示すように、遊技機１の上半分の部分には遊技盤２が設けられる。遊技盤２は正面視略正方形であり（図２参照）、透明なガラス板を保持した前面枠１３によって前面を保護される。遊技盤２の下部には上皿５が設けられる。上皿５は、発射機に遊技球を供給し、かつ賞品球を受ける。上皿５の上部中央には、遊技者によって操作される操作ボタン９が配設される。上皿５の直下には、賞品球を受ける下皿６が設けられる。下皿６の右横には、遊技球の発射を調整する発射ハンドル７が設けられる。前面枠１３の上部の左右の角には、スピーカ４８がそれぞれ設けられる。
【００１３】
図２に示すように、遊技盤２の前面には、ガイドレール３で囲まれた略円形の遊技領域４が形成される。発射装置（図示略）によって発射された遊技球は、ガイドレール３によって遊技領域４へ導かれ、遊技領域４内を流下する。遊技領域４は、発射ハンドル７の発射強度に応じて、遊技球が流下する度合いを互いに異にする第一遊技領域４Ｌと第二遊技領域４Ｒとを備える。第一遊技領域４Ｌは、遊技機１に正対した遊技者から見て遊技領域４の左側に位置し、第二遊技領域４Ｒは、遊技者から見て遊技領域４の右側に位置している。ガイドレール３は遊技領域４の左側に形成されている。発射ハンドル７によって所定の強度以上の発射強度で発射された遊技球は、第二遊技領域４Ｒを流下し（例えば図２の矢印Ｒ参照）、所定の強度未満の発射強度で発射された遊技球は第一遊技領域４Ｌを流下する（例えば図２の矢印Ｌ参照）。
【００１４】
遊技領域４の略中央には、ＬＣＤ（液晶ディスプレイ）等で構成された表示装置２８が配設される。表示装置２８は、動画、メッセージ等の遊技に関する様々な映像を表示可能な表示面を有する。特に、表示装置２８は、大当たり判定の結果を報知するための演出図柄を表示する。遊技機１は、複数（本実施形態では３つ）の演出図柄を変動させた後に、大当たり判定の結果を示す演出図柄の組合せを確定表示させる報知演出を実行することで、大当たり判定の結果を遊技者に報知する。
【００１５】
表示装置２８の前方には、正面視で表示装置２８の表示面を取り囲むように、センター部材１０が設けられる。センター部材１０は、表示装置２８、スピーカ４８等と連動して、報知演出等の様々な演出を実行する。センター部材１０の詳細は、別途後述する。
【００１６】
表示装置２８の下方には、第一始動口１４が設けられる。表示装置２８の右斜め下方には、普通図柄作動ゲート１２が設けられる。普通図柄作動ゲート１２の下方には、第二始動口１５が設けられる。第二始動口１５の左斜め下方には、通常アタッカー１６が設けられる。第一始動口１４の直下に、Ｖアタッカー１７が設けられる。
【００１７】
第二始動口１５は、開閉部材を備える。第二始動口１５の開閉部材が開放状態となると、第二始動口１５への遊技球の入賞が容易になる。通常アタッカー１６およびＶアタッカー１７も開閉部材を備える。遊技球は、開閉部材が開放した状態でのみ、通常アタッカー１６およびＶアタッカー１７に入賞できる。各開閉部材はソレノイドによって電気的に開閉される。入賞口である第一始動口１４、第二始動口１５、通常アタッカー１６、およびＶアタッカー１７に遊技球が入賞すると、所定数の遊技球が払い出される。
【００１８】
図示しないが、Ｖアタッカー１７に入賞した遊技球の流路には、特定領域および非特定領域が形成される。遊技機１では、大当たり遊技中に遊技球がＶアタッカー１７内の特定領域を通過することが、大当たり遊技終了後に確率変動状態を生起する条件となっている。本実施形態では、Ｖアタッカー１７は１回の大当たり遊技中に１回開放される。Ｖアタッカー１７の開放パターンには、１回の開放動作で最大１３秒開放される長時間開放パターンと、最大０．３秒しか開放されない短時間開放パターンとがある。短時間開放パターンの場合には、Ｖアタッカー１７に遊技球が入賞する確率は低い。そして、大当たり遊技の種類には、長時間開放パターンが選択される長時間開放大当たりと、短時間開放パターンが選択される短時間開放大当たりとが設けられる。よって、長時間開放大当たりとなるか否かによって、確率変動状態が生起される割合は変化する。
【００１９】
遊技盤２の右斜め下部には図柄表示部８が設けられる。図柄表示部８は、普通図柄表示部、第一特別図柄表示部、第二特別図柄表示部、普通図柄記憶数表示ＬＥＤ、第一特別図柄記憶数表示ＬＥＤ、および第二特別図柄記憶数表示ＬＥＤを備える。普通図柄作動ゲート１２を遊技球が通過すると普通当たり判定が行われて、判定結果が普通図柄表示部に表示される。第一始動口１４へ遊技球が入賞すると、第一大当たり判定が行われ、判定の結果に応じて複数の特別図柄のうちの１つが第一特別図柄表示部に表示される。第二始動口１５へ遊技球が入賞すると、第二大当たり判定が行われ、その判定の結果は第二特別図柄表示部に表示される。
【００２０】
普通図柄記憶数表示ＬＥＤは、普通図柄作動保留球数を４つまで表示する。普通図柄作動保留球数とは、普通図柄作動ゲート１２を通過し、かつ普通図柄表示部に普通当たり判定の結果がまだ表示されていない遊技球の個数である。第一特別図柄記憶数表示ＬＥＤは、第一特別図柄作動保留球数を４つまで表示する。第一特別図柄作動保留球数とは、第一始動口１４に入賞し、かつ第一大当たり判定の結果がまだ表示されていない遊技球の個数である。第二特別図柄記憶数表示ＬＥＤは、第二特別図柄作動保留球数を４つまで表示する。第二特別図柄作動保留球数とは、第二始動口１５に入賞し、かつ第二大当たり判定の結果がまだ表示されていない遊技球の個数である。さらに、遊技盤２には、上記以外に各種の電飾ランプ、入賞口、風車、および遊技くぎ等が設けられる。
【００２１】
また、遊技盤２の背面側には、主制御基板（図示略）、サブ制御基板（図示略）、ランプドライバ基板（図示略）等を備えた制御部（図示略）が設けられる。主制御基板は、例えば普通大当たり判定、大当たり判定等を行い、遊技機１の主制御を司る。主制御基板には、各種の演算処理を実行するＣＰＵ、データを一時的に記憶するＲＡＭ、および制御プログラム等を記憶したＲＯＭが設けられる。サブ制御基板は、主制御基板と電気的に接続される。サブ制御基板には、主制御基板と同様に、ＣＰＵ、ＲＡＭ、およびＲＯＭが設けられる。サブ制御基板は、主制御基板から送信されるコマンドに従って、ランプドライバ基板等を制御することで、演出に関する総合的な制御を実行する。ランプドライバ基板は、サブ制御基板と電気的に接続される。ランプドライバ基板には、主制御基板と同様に、ＣＰＵ、ＲＡＭ、およびＲＯＭが設けられる。ランプドライバ基板は、サブ制御基板から送信されるコマンドに従って、センター部材１０に設けられた第一モータ６１、第二モータ（図示略）、第三モータ６３、発光役物６００等を制御して、センター部材１０に設けられた複数の演出装置等による演出動作を実行する。
【００２２】
図１〜図６を参照して、センター部材１０について説明する。図３に示すように、センター部材１０は、ケース体３０の前面側に設けられる。ケース体３０は枠状の樹脂ケースであり、その前側に遊技盤２が設けられ、その後側に表示装置２８が設けられる（図１、図２参照）。ケース体３０には、表示装置２８の表示面を、遊技機１の正面側に露出させる開口部が形成されている。
【００２３】
センター部材１０は、発光役物６００（図１、図２参照）、フレーム３１、第一演出装置１００、第二演出装置４００等を備える。図１および図２に示すように、発光役物６００は、センター部材１０の上部に配置される。発光役物６００は、複数（本実施形態では、７つ）のキャラクタの外形をかたどり、半透明の部材で形成される。発光役物６００は、キャラクタ毎に発光可能である。発光役物６００は、１または複数のキャラクタを発光させることで、表示装置２８、スピーカ４８等と連動して、報知演出等の様々な演出を実行する。
【００２４】
図３および図４に示すように、フレーム３１は、ケース体３０の上部に固定される。フレーム３１は、１枚の鉄板であり、正面視で下方に開口した略コの字状に成形される。フレーム３１は、上フレーム３１Ａ、左フレーム３１Ｂ、および右フレーム３１Ｃを備える。上フレーム３１Ａは、左右前後方向に延びる。左フレーム３１Ｂは、上フレーム３１Ａの左部が下方に折り曲げられて形成される。右フレーム３１Ｃは、上フレーム３１Ａの右部が下方に折り曲げられて形成された部位であり、左フレーム３１Ｂと対向する。右フレーム３１Ｃは、上フレーム３１Ａの右部が下方に折り曲げられた後、右方に曲げられ、さらに下方に折り曲げられて形成される。
【００２５】
図４〜図６に示すように、第一演出装置１００は、第一可動役物１５０、第一モータ６１（図５および図６参照）、第一駆動機構２００、第二駆動機構３００等を備える。第一可動役物１５０は、上フレーム３１Ａの下側において、左フレーム３１Ｂと右フレーム３１Ｃとの間で回転可能に支持される。第一可動役物１５０は、第一位置（図１、図４〜図８参照）と第二位置（図２、図３、図９、図１０参照）とに回転可能である。第一位置は、第一装飾部１５１が前側を向いているときの第一可動役物１５０の位置である。第二位置は、第一装飾部１５１が下側を向いているときの第一可動役物１５０の位置である。以下、第一可動役物１５０が第一位置にある場合を基準として各部材を説明する。第一可動役物１５０は、第一装飾部１５１、第二装飾部１５２、第一延出部１５３、および第二延出部１５４を備える。第一装飾部１５１は、左右方向に長い矩形状の板部材である。第一装飾部１５１の前面には、「ＳＥＸＹ」のロゴの装飾が施されている。第二装飾部１５２は、第一装飾部１５１の上端部から後方に延びる板部材である。第二装飾部１５２の上面の中央部には、「ＳＥＸＹ  ＦＡＬＬ」のロゴの装飾が施されている。
【００２６】
図１に示すように、第一可動役物１５０が第一位置にある場合、第一装飾部１５１の前面が前方（遊技者側）を向いているため、遊技者は第一装飾部１５１の前面に施されたロゴの装飾を視認できる。この場合、第二装飾部１５２の上面は上方を向いているため、遊技者は第二装飾部１５２の上面に施されたロゴの装飾を視認できない。一方、図２および図３に示すように、第一可動役物１５０が第二位置にある場合、第一装飾部１５１の前面が下方を向いているため、遊技者は第一装飾部１５１の前面に施されたロゴの装飾を視認できない。この場合、第二装飾部１５２の上面は前方を向いているため、遊技者は第二装飾部１５２の上面に施されたロゴの装飾を視認できる。
【００２７】
図４〜図６に示すように、第一延出部１５３は、第一装飾部１５１の左端部から左後ろ斜めに延びる。第一延出部１５３には、円形状の凸部（図示略）が設けられる。この凸部は、第一延出部１５３の後端部から左方に突出し、円筒状の左ソケット１６１（図５、図６参照）に回転可能に挿入される。左ソケット１６１は、左フレーム３１Ｂを左右方向に貫通する。第二延出部１５４は、第一装飾部１５１の右端部から右後ろ斜めに延びる。第二延出部１５４には、円形状の凸部（図示略）が設けられる。この凸部は、第二延出部１５４の後端部から左方に突出し、円筒状の右ソケット１６２（図５、図６参照）に回転可能に挿入される。右ソケット１６２は、右フレーム３１Ｃを左右方向に貫通する。
【００２８】
軸線Ｐ０（図７、図８、図９、図１０参照）は、ソケット１６１，１６２の中心を通り、左右方向に延びる。第一可動役物１５０は、軸線Ｐ０を中心に回転する。第一延出部１５３が左後ろ斜めに延び、第二延出部１５４が右後ろ斜めに延びているため、第一装飾部１５１は、軸線Ｐ０よりも前方に位置する。すなわち、第一可動役物１５０は、第一延出部１５３の後端部から第二延出部１５４の後端部まで軸線Ｐ０から離隔する方向に膨らんでいる。軸線Ｐ０から離隔する部位が軸線Ｐ０を中心に回転した場合の回転軌跡は、軸線Ｐ０の周りを通る。従って、第一可動役物１５０のうち、軸線Ｐ０から離隔する方向に膨らんでいる部位の回転軌跡は、軸線Ｐ０の周りを通る。このため、第一演出装置１００は、第一可動役物１５０が回転しても、上フレーム３１Ａ、左フレーム３１Ｂ、右フレーム３１Ｃ、および第一可動役物１５０によって囲まれた空間１０１を確保できる。これにより、遊技機１は、第一可動役物１５０によって動きを伴う演出を行うことができ、さらに空間１０１内に部材を配置して様々な演出を行うことを可能とした。
【００２９】
図５および図６に示すように、第一モータ６１は、左フレーム３１Ｂの右側に配置される。第一モータ６１は、正転（左側面視で時計回り方向の回転）および逆転（左側面視で反時計回り方向の回転）可能である。詳しくは後述するが、第一モータ６１が正転した場合、第一可動役物１５０は、第一位置（図１、図４〜図８参照）から第二位置（図２、図３、図９、図１０参照）に回転する。第一モータ６１が逆転した場合、第一可動役物１５０は、第二位置から第一位置に回転する。第一モータ６１の駆動軸６１Ａは、左フレーム３１Ｂの左側まで貫通する。
【００３０】
第一駆動機構２００は、左フレーム３１Ｂの左側に配置される。第一駆動機構２００は、第一モータ６１によって駆動される。第二駆動機構３００は、右フレーム３１Ｃの右側に配置される。上フレーム３１Ａの下側には、連結軸棒１１０が設けられる。連結軸棒１１０は、左右方向に延び、左フレーム３１Ｂの左側から右フレーム３１Ｃの右側まで貫通する。連結軸棒１１０の左端部１１０Ａは、第一駆動機構２００と連結する。連結軸棒１１０の右端部１１０Ｂは、第二駆動機構３００と連結する。すなわち、連結軸棒１１０は、第一駆動機構２００と第二駆動機構３００とを連結し、第一モータ６１の駆動力を第二駆動機構３００に伝達する。第二駆動機構３００は、連結軸棒１１０を介して第一モータ６１によって駆動される。第一モータ６１が駆動した場合、第一可動役物１５０は、第一駆動機構２００および第二駆動機構３００によって第一位置または第二位置に回転する。第一駆動機構２００および第二駆動機構３００の詳細は、別途後述する。
【００３１】
左フレーム３１Ｂの左側および右フレーム３１Ｃの右側には、それぞれ、左サイドカバー１２１および右サイドカバー１２２が設けられる。左サイドカバー１２１は、第一駆動機構２００を保護するための部材である。左サイドカバー１２１は、第一駆動機構２００を左側から覆い、左フレーム３１Ｂの左面に固定される。右サイドカバー１２２は、第二駆動機構３００を保護するための部材である。右サイドカバー１２２は、第二駆動機構３００を右側から覆い、右フレーム３１Ｃの右面に固定される。
【００３２】
第二演出装置４００は、第二可動役物４５０、支持部４２１，４２２、第二モータ（図示略）、上下動機構（図示略）、第三モータ６３等を備える。第二可動役物４５０は、空間１０１に配置される。第二可動役物４５０は、左右方向に長い略直方体状である。第二可動役物４５０の左右両面以外の４つの面には、それぞれ、「Ｐｏｗｅｒ」、「Ｓｐｅｅｄ」、「Ｔｅｃｈｎｉｑｕｅ」、および「Ｍａｒｖｅｌｏｕｓ」のロゴの装飾が施されている。これらのロゴは、大当たり判定の結果が大当たりであることの期待度を示す。本実施形態では、「Ｐｏｗｅｒ」、「Ｓｐｅｅｄ」、「Ｔｅｃｈｎｉｑｕｅ」、「Ｍａｒｖｅｌｏｕｓ」の順に期待度が高くなるように設定されている。
【００３３】
支持部４２１，４２２は、それぞれ、第二可動役物４５０の左右両側に配置される。支持部４２１，４２２は、第二可動役物４５０を回転可能に支持する。第二モータは、第二可動役物４５０の内部に配置される。第二モータは、第二可動役物４５０を回転駆動する。本実施形態の遊技機１は、第二可動役物４５０を回転させることにより、大当たり判定の結果が大当たりであることの期待度を示す期待度演出を実行できる。なお、第二可動役物４５０は、第一可動役物１５０が第二位置にある場合に前方に露出する。従って、遊技機１は、第一可動役物１５０が第二位置にある場合に、第二可動役物４５０を回転させて、第二可動役物４５０に施されたロゴのいずれかを遊技者に示すことで、期待度演出を実行する。この構成によれば、第一可動役物１５０が第一位置にある場合、遊技者は、第二可動役物４５０を視認できない。このため、遊技機１は、第一可動役物１５０を第一位置から第二位置に回転させ、第二可動役物４５０を露出させて期待度演出を実行させることにより、遊技者に驚きを与え、演出を楽しませることができる。
【００３４】
図３に示すように、上下動機構は、ケース体３０の左右両側に配置される。上下動機構は、一対のラックアンドピニオン機構によって構成される。上下動機構は、それぞれ、支持部４２１，４２２を上下動可能に支持する。第三モータ６３は、ケース体３０の右上部に配置される。第三モータ６３は、上下動機構を駆動して支持部４２１，４２２を上下動させる。従って、第二可動役物４５０は、第三モータ６３が駆動した場合に上下動機構によって支持部４２１，４２２が上下動することに伴って上下動する。なお、第一可動役物１５０が第二位置にある場合、第二可動役物４５０の下側に第一可動役物１５０が配置されるため、第二可動役物４５０の上下方向への移動が規制される。つまり、第二可動役物４５０は、第一可動役物１５０が第一位置にある場合のみ上下動できる。本実施形態の遊技機１は、第一可動役物１５０が第一位置にある場合、第二可動役物４５０を下降させた状態で回転させて、第二可動役物４５０に施されたロゴのいずれかを遊技者に示すことによっても期待度演出を実行できる。
【００３５】
図５〜図７を参照して、第一駆動機構２００の構造について説明する。本実施形態の第一駆動機構２００は、ラックアンドピニオン機構を採用している。第一駆動機構２００は、第一ギヤ２１０、第二ギヤ２２０、第一揺動部材２３０、第一ラック２４０、第三ギヤ２５０等を備える。第一ギヤ２１０は、左フレーム３１Ｂの左側に配置され、第一モータ６１の駆動軸６１Ａに連結される。第二ギヤ２２０は、左フレーム３１Ｂの左側、かつ、第一ギヤ２１０の前上方に配置される。第二ギヤ２２０は、連結軸棒１１０の左端部１１０Ａに連結される。第二ギヤ２２０は、第一ギヤ２１０と噛み合う。軸線Ｐ１は、第二ギヤ２２０の中心を通り、左右方向に延びる。第二ギヤ２２０は、第一モータ６１の駆動力によって第一ギヤ２１０を介して、軸線Ｐ１を中心に回転する。すなわち、連結軸棒１１０の左端部１１０Ａは、第一ギヤ２１０および第二ギヤ２２０を介して第一モータ６１と連結する。
【００３６】
第一揺動部材２３０は、第二ギヤ２２０の左側に配置される。第一揺動部材２３０は、左フレーム３１Ｂの後上角部に設けられた支持部３５によって揺動可能に支持される。支持部３５は、左フレーム３１Ｂの左面から左方に延びる。軸線Ｐ２は、支持部３５の中心を通り、軸線Ｐ１と平行（左右方向）に延びる。第一揺動部材２３０は、軸線Ｐ２を中心に揺動する。第一揺動部材２３０は、軸線Ｐ２から離隔する方向（以下、「離隔方向」という。）に延びる。
【００３７】
第一揺動部材２３０は、円筒部２３１を有する。円筒部２３１は、第一揺動部材２３０のうち軸線Ｐ２が通る部位から右方に突出する。円筒部２３１には、支持部３５が右側から挿入される。これにより、第一揺動部材２３０は支持部３５によって揺動可能に支持される。
【００３８】
第一揺動部材２３０の右面（以下、「第一対向面２３２」という。図６参照）のうち、第二ギヤ２２０と左右方向に対向する部位には、第一開口壁部２３３が設けられる。第一開口壁部２３３は、軸線Ｐ１および軸線Ｐ２のそれぞれから離隔する位置に配置される。すなわち、第一開口壁部２３３は、第二ギヤ２２０の回転中心（軸線Ｐ１）および第一揺動部材２３０の揺動中心（軸線Ｐ２）に対して偏心している。本実施形態では、第一開口壁部２３３は、第一対向面２３２の離隔方向の略中央部に配置される。第一開口壁部２３３は、離隔方向に長さを有する第一穴２３５を形成する。つまり、第一穴２３５は、離隔方向に長い長穴である。本実施形態では、第一開口壁部２３３は、第一対向面２３２から第一揺動部材２３０の左面まで延びる。従って、第一穴２３５は、第一揺動部材２３０を左右方向に貫通する。
【００３９】
第一揺動部材２３０のうち、後述する第一ラック２４０と対向する部位には、第二開口壁部２３４が設けられる。第二開口壁部２３４は、軸線Ｐ１および軸線Ｐ２のそれぞれから離隔する位置に配置される。すなわち、第二開口壁部２３４は、第二ギヤ２２０の回転中心（軸線Ｐ１）および第一揺動部材２３０の揺動中心（軸線Ｐ２）に対して偏心している。また、第二開口壁部２３４は、第一開口壁部２３３に対して軸線Ｐ２とは反対側に配置される。本実施形態では、第二開口壁部２３４は、第一対向面２３２の離隔方向の端部に配置される。第二開口壁部２３４は、離隔方向に長さを有する第二穴２３６を形成する。つまり、第二穴２３６は、離隔方向に長い長穴である。本実施形態では、第二開口壁部２３４は、第一対向面２３２から第一揺動部材２３０の左面まで延びる。従って、第二穴２３６は、第一揺動部材２３０を左右方向に貫通する。
【００４０】
第二ギヤ２２０には、第一穴２３５に右方から挿入される第一挿入部２２１が設けられる。第一挿入部２２１は、軸線Ｐ１および軸線Ｐ２のそれぞれから離隔する位置に配置される。すなわち、第一挿入部２２１は、第二ギヤ２２０の回転中心（軸線Ｐ１）および第一揺動部材２３０の揺動中心（軸線Ｐ２）に対して偏心している。第一挿入部２２１は、第二ギヤ２２０の左面から左方に突出する。第一挿入部２２１は、第一穴２３５が離隔方向に長い長穴であるため、第一穴２３５に挿入された状態で、第一穴２３５を離隔方向に移動可能である。
【００４１】
第一ラック２４０は、第一揺動部材２３０の右側に配置される。第一ラック２４０は、第一揺動部材２３０によって上下方向に移動可能に支持される。第一ラック２４０は、第一揺動部材２３０の離隔方向の端部の近傍から下方に延びる。
【００４２】
第一ラック２４０は、歯部２４１および案内凸部２４２を有する。歯部２４１は、第一ラック２４０の背面に配置される。歯部２４１は、第一ラック２４０の下端部から略中央部まで上下方向に延びる。案内凸部２４２は、第一ラック２４０の右面から右方に突出する。案内凸部２４２は、第一ラック２４０の下端部から上端部まで上下方向に延びる。案内凸部２４２は、左フレーム３１Ｂに設けられた案内凹部３７に挿入される。案内凹部３７は、左フレーム３１Ｂの左面の前部において、上下方向に延びる。案内凹部３７の上下方向の長さは、案内凸部２４２の上下方向の長さよりも長い。第一ラック２４０は、案内凹部３７に沿って上下方向に移動する。
【００４３】
第一ラック２４０の左面（以下、「第二対向面２４３」という。）うち、第一揺動部材２３０と対向する部位には、第二穴２３６に右方から挿入される第二挿入部２４４が設けられる。第二挿入部２４４は、軸線Ｐ１および軸線Ｐ２のそれぞれから離隔する位置に配置される。すなわち、第二挿入部２４４は、第二ギヤ２２０の回転中心（軸線Ｐ１）および第一揺動部材２３０の揺動中心（軸線Ｐ２）に対して偏心している。本実施形態では、第二挿入部２４４は、第二対向面２４３の上端部から左方に突出する。第二挿入部２４４は、第二穴２３６が離隔方向に長い長穴であるため、第二穴２３６に挿入された状態で、第二穴２３６を離隔方向に移動可能である。
【００４４】
第三ギヤ２５０は、第一ギヤ２１０の下方、かつ、第一ラック２４０の後側に配置される。第三ギヤ２５０は、歯部２４１と噛み合う。第三ギヤ２５０は、左ソケット１６１の左部に回転可能に装着され、左ソケット１６１に挿入された第一延出部１５３の凸部（図示略）と連結される。このため、本実施形態では、第三ギヤ２５０の回転中心を通る軸線は、軸線Ｐ０と一致する。この場合、第一演出装置１００は、第三ギヤ２５０を回転させることで、他のギヤ等を介さず、第一可動役物１５０を回転させることができる。従って、第一演出装置１００は大型化を抑制しつつ、第一可動役物１５０を回転させることができる。
【００４５】
図５、図６、および図８を参照して、第二駆動機構３００の構造について説明する。本実施形態の第二駆動機構３００は、第一駆動機構２００と同様にラックアンドピニオン機構を採用している。第二駆動機構３００は、回転体３２０、第二揺動部材３３０、第二ラック３４０、第四ギヤ３５０等を備える。回転体３２０、第二揺動部材３３０、第二ラック３４０、および第四ギヤ３５０は、それぞれ、第一駆動機構２００の第二ギヤ２２０、第一揺動部材２３０、第一ラック２４０、および第三ギヤ２５０と対応している。
【００４６】
回転体３２０は、右フレーム３１Ｃの右側に配置される。回転体３２０は、連結軸棒１１０の右端部に連結される。つまり、第二ギヤ２２０と回転体３２０とは、連結軸棒１１０によって連結されている。軸線Ｐ３は、回転体３２０の中心を通り、左右方向に延びる。本実施形態では、軸線Ｐ３は、軸線Ｐ１と一致する。軸線Ｐ１および軸線Ｐ３は、連結軸棒１１０の中心を通る。回転体３２０は、第一モータ６１の駆動力によって、第一ギヤ２１０、第二ギヤ２２０、および連結軸棒１１０を介して、軸線Ｐ３を中心に回転する。
【００４７】
第二揺動部材３３０は、回転体３２０の右側に配置される。第二揺動部材３３０は、右フレーム３１Ｃの後上角部に設けられた支持部３６によって揺動可能に支持される。支持部３６は、右フレーム３１Ｃの左面から左方に延びる。軸線Ｐ４は、支持部３６の中心を通り、軸線Ｐ３と平行（左右方向）に延びる。本実施形態では、軸線Ｐ４は、軸線Ｐ２と一致する。第二揺動部材３３０は、軸線Ｐ４を中心に揺動する。第二揺動部材３３０は、軸線Ｐ４から離隔する方向（離隔方向）に延びる。
【００４８】
第二揺動部材３３０は、円筒部３３１を有する。円筒部３３１は、第二揺動部材３３０のうち軸線Ｐ４が通る部位から左方に突出する。円筒部３３１には、支持部３６が左側から挿入される。これにより、第二揺動部材３３０は支持部３６によって揺動可能に支持される。
【００４９】
第二揺動部材３３０の左面（以下、「第三対向面３３２」という。図５参照）のうち、回転体３２０と左右方向に対向する部位には、第三開口壁部３３３が設けられる。第三開口壁部３３３は、軸線Ｐ３および軸線Ｐ４のそれぞれから離隔する位置に配置される。なわち、第三開口壁部３３３は、回転体３２０の回転中心（軸線Ｐ３）および第二揺動部材３３０の揺動中心（軸線Ｐ４）に対して偏心している。本実施形態では、第三開口壁部３３３は、第三対向面３３２の離隔方向の略中央部に配置される。第三開口壁部３３３は、離隔方向に長さを有する第三穴３３５を形成する。つまり、第三穴３３５は、離隔方向に長い長穴である。本実施形態では、第三開口壁部３３３は、第三対向面３３２から第二揺動部材３３０の右面まで延びる。従って、第三穴３３５は、第二揺動部材３３０を左右方向に貫通する。
【００５０】
第二揺動部材３３０のうち、後述する第二ラック３４０と対向する部位には、第四開口壁部３３４が設けられる。第四開口壁部３３４は、軸線Ｐ３および軸線Ｐ４のそれぞれから離隔する位置に配置される。すなわち、第四開口壁部３３４は、回転体３２０の回転中心（軸線Ｐ３）および第二揺動部材３３０の揺動中心（軸線Ｐ４）に対して偏心している。また、第四開口壁部３３４は、第三開口壁部３３３に対して軸線Ｐ４とは反対側に配置される。本実施形態では、第四開口壁部３３４は、第三対向面３３２の離隔方向の端部に配置される。第四開口壁部３３４は、離隔方向に長さを有する第四穴３３６を形成する。つまり、第四穴３３６は、離隔方向に長い長穴である。本実施形態では、第四開口壁部３３４は、第三対向面３３２から第二揺動部材３３０の右面まで延びる。従って、第四穴３３６は、第二揺動部材３３０を左右方向に貫通する。
【００５１】
回転体３２０には、第三穴３３５に左方から挿入される第三挿入部３２１が設けられる。第三挿入部３２１は、軸線Ｐ３および軸線Ｐ４のそれぞれから離隔する位置に配置される。すなわち、第三挿入部３２１は、回転体３２０の回転中心（軸線Ｐ３）および第二揺動部材３３０の揺動中心（軸線Ｐ４）に対して偏心している。第三挿入部３２１は、回転体３２０の右面から右方に突出する。第三挿入部３２１は、第三穴３３５が離隔方向に長い長穴であるため、第三穴３３５に挿入された状態で、第三穴３３５を離隔方向に移動可能である。
【００５２】
第二ラック３４０は、第二揺動部材３３０の左側に配置される。第二ラック３４０は、第二揺動部材３３０によって上下方向に移動可能に支持される。第二ラック３４０は、第二揺動部材３３０の離隔方向の端部の近傍から下方に延びた後、右方に延び、さらに下方に延びる。つまり、第二ラック３４０は、右フレーム３１Ｃの右側において、右フレーム３１Ｃの形状に沿って延びる。
【００５３】
第二ラック３４０は、歯部３４１、案内凸部３４２Ａ（図５参照）、および案内凹部３４２Ｂ（図５参照）を有する。歯部３４１は、第二ラック３４０の背面に配置される。歯部３４１は、第二ラック３４０の下端部から略中央部まで上下方向に延びる。
【００５４】
案内凸部３４２Ａは、第二ラック３４０の右面から右方に突出する。案内凸部３４２Ａは、第二ラック３４０の下端部から略中央部まで上下方向に延びる。案内凸部３４２Ａは、右フレーム３１Ｃに設けられた案内凹部３８Ａに挿入される。案内凹部３８Ａは、右フレーム３１Ｃの左面の前下部において、上下方向に延びる。案内凹部３８Ａの上下方向の長さは、案内凸部３４２Ａの上下方向の長さよりも長い。案内凹部３４２Ｂは、第二ラック３４０の右面に配置される。案内凹部３４２Ｂは、第二ラック３４０の上端部から略中央部まで上下方向に延びる。案内凹部３４２Ｂには、右フレーム３１Ｃに設けられた案内凸部３８Ｂが挿入される。案内凸部３８Ｂは、右フレーム３１Ｃの左面の前上部において、上下方向に延びる。案内凸部３８Ｂの上下方向の長さは、案内凹部３４２Ｂの上下方向の長さよりも長い。第二ラック３４０は、案内凹部３８Ａおよび案内凸部３８Ｂに沿って上下方向に移動する。
【００５５】
第二ラック３４０の右面（以下、「第四対向面３４３」という。）のうち、第二揺動部材３３０と対向する部位には、第四穴３３６に左方から挿入される第四挿入部３４４が設けられる。第四挿入部３４４は、軸線Ｐ３および軸線Ｐ４のそれぞれから離隔する位置に配置される。すなわち、第四挿入部３４４は、回転体３２０の回転中心（軸線Ｐ３）および第二揺動部材３３０の揺動中心（軸線Ｐ４）に対して偏心している。本実施形態では、第四挿入部３４４は、第四対向面３４３の上端部から左方に突出する。第四挿入部３４４は、第四穴３３６が離隔方向に長い長穴であるため、第四穴３３６に挿入された状態で、第四穴３３６を離隔方向に移動可能である。
【００５６】
第四ギヤ３５０は、回転体３２０の下方、かつ、第二ラック３４０の後側に配置される。第四ギヤ３５０は、歯部３４１と噛み合う。第四ギヤ３５０は、右ソケット１６２の右部に回転可能に装着され、右ソケット１６２に挿入された第二延出部１５４の凸部（図示略）と連結される。このため、本実施形態では、第四ギヤ３５０の回転中心を通る軸線は、軸線Ｐ０と一致する。この場合、第一演出装置１００は、第四ギヤ３５０を回転させることで、他のギヤ等を介さず、第一可動役物１５０を回転させることができる。従って、第一演出装置１００は大型化を抑制しつつ、第一可動役物１５０を回転させることができる。
【００５７】
図７〜図１０を参照して、第一可動役物１５０を第一位置（図７、図８参照）から第二位置（図９、図１０参照）に回転させる場合の第一演出装置１００の動作について説明する。図７に示すように、第一可動役物１５０が第一位置にある場合、第一挿入部２２１は、軸線Ｐ１の直上にある。従って、第一揺動部材２３０の離隔方向の端部は、揺動範囲の中で最も上方にある。第一ラック２４０は、移動範囲の中で最も上方にある。図８に示すように、第一可動役物１５０が第一位置にある場合、第三挿入部３２１は、軸線Ｐ３の直上にある。従って、第二揺動部材３３０の離隔方向の端部は、揺動範囲の中で最も上方にある。第二ラック３４０は、移動範囲の中で最も上方にある。以下、この状態を初期状態という。
【００５８】
第一可動役物１５０を第一位置から第二位置に回転させる場合、遊技機１は、初期状態から第一モータ６１を正転させる。図７および図９に示すように、第一モータ６１が正転すると、第一モータ６１の駆動軸６１Ａに連結している第一ギヤ２１０が、左側面視で時計回り方向に回転する。これに伴い、第一ギヤ２１０に噛み合っている第二ギヤ２２０が、左側面視で反時計回り方向に回転する。この場合、第一挿入部２２１は、軸線Ｐ１の周囲を左側面視で反時計回り方向に回転するため、第一開口壁部２３３を離隔方向とは反対方向に摺動しながら下方に押圧する。これにより、第一揺動部材２３０は軸線Ｐ２を中心に略下方に揺動する。
【００５９】
第一揺動部材２３０が揺動した場合、第二開口壁部２３４が第二挿入部２４４を下方に押圧する。これにより、第一ラック２４０が下方に移動する。本実施形態では、第二開口壁部２３４が第一開口壁部２３３に対して軸線Ｐ２とは反対側に配置されている。すなわち、第二開口壁部２３４は、軸線Ｐ２からより離れた位置に配置されている。このため、第一揺動部材２３０が軸線Ｐ２を中心に揺動した場合、第二開口壁部２３４の位置がより大きく変位する。従って、第一演出装置１００は、第一揺動部材２３０の小さな揺動によって、第一ラック２４０を大きく移動させることができるため、大型化を抑制でき、かつ、第一可動役物１５０を迅速に移動させることができる。
【００６０】
また、第一ラック２４０は下方に移動する場合、案内凹部３７に沿って下方に移動するため、安定的に移動できる。第一ラック２４０が下方に移動することによって、歯部２４１と噛み合っている第三ギヤ２５０が、左側面視で時計回り方向に回転する。これにより、第三ギヤ２５０と連結している第一可動役物１５０が、第一位置（図７参照）から第二位置（図９参照）まで左側面視で時計回り方向に回転する。
【００６１】
例えば、仮に、第一モータ６１の駆動力を１つのギヤによって、第一モータ６１と離れた位置にある第一可動役物１５０に伝達する場合、１つのギヤの径は大きなものとなる。このため、１つのギヤを配置する空間を確保するため、第一演出装置１００が大型化する。また、複数のギヤによって第一モータ６１の駆動力を第一可動役物１５０に伝達する場合も、部品点数が増えたり、複数のギヤを配置するための空間を確保したりするため、第一演出装置１００が大型化する。これに対し、第一演出装置１００は、第一モータ６１の駆動力を第一可動役物１５０に伝達するために、少なくとも、１つの回転体（第二ギヤ２２０）および第三ギヤ２５０を配置する空間と、第一揺動部材２３０が揺動する空間と、第一ラック２４０が移動する空間とを確保するだけでよい。特に、第一揺動部材２３０および第一ラック２４０は、それぞれ、少なくとも一方向に延びている部材であればよいため、ギヤのように円形の部材を配置する空間よりも小さい空間を確保するだけでよい。従って、第一演出装置１００は、大型化を抑制しつつ、第一モータ６１の駆動力を第一可動役物１５０に伝達できる。
【００６２】
また、図８および図１０に示すように、第二ギヤ２２０が左側面視で反時計回り方向にした場合（図７、図９参照）、第二ギヤ２２０に左端部１１０Ａが連結している連結軸棒１１０が、右側面視で時計回り方向（左側面視で反時計回り方向）に回転する。これに伴い、連結軸棒１１０の右端部１１０Ｂに連結している回転体３２０が、右側面視で時計回り方向に回転する。すなわち、第一モータ６１の駆動力は、１本の連結軸棒１１０によって回転体３２０に伝達される。このため、第一演出装置１００は、第一モータ６１と回転体３２０との間に空間１０１を確保できる。
【００６３】
回転体３２０が右側面視で時計回り方向に回転した場合、第三挿入部３２１は、軸線Ｐ３の周囲を右側面視で時計回り方向に回転する。このため、第三挿入部３２１は、第三開口壁部３３３を離隔方向とは反対方向に摺動しながら下方に押圧する。これにより、第二揺動部材３３０は軸線Ｐ４を中心に略下方に揺動する。第二揺動部材３３０が揺動した場合、第四開口壁部３３４が第四挿入部３４４を下方に押圧する。これにより、第二ラック３４０が下方に移動する。本実施形態では、第四開口壁部３３４が第三開口壁部３３３に対して軸線Ｐ４とは反対側に配置されている。すなわち、第四開口壁部３３４は、軸線Ｐ４からより離れた位置に配置されている。このため、第二揺動部材３３０が軸線Ｐ４を中心に揺動した場合、第四開口壁部３３４の位置がより大きく変位する。従って、第一演出装置１００は、第二揺動部材３３０の小さな揺動によって、第二ラック３４０を大きく移動させることができるため、大型化を抑制でき、かつ、第一可動役物１５０を迅速に移動させることができる。
【００６４】
また、第二ラック３４０は下方に移動する場合、案内凹部３８Ａおよび案内凸部３８Ｂに沿って下方に移動するため、安定的に移動できる。第二ラック３４０が下方に移動することによって、歯部３４１と噛み合っている第四ギヤ３５０が、右側面視で反時計回り方向に回転する。これにより、第四ギヤ３５０と連結している第一可動役物１５０が、第一位置（図８参照）から第二位置（図１０参照）まで右側面視で反時計回り方向に回転する。このように、第一演出装置１００は、第一可動役物１５０を回転させる機構（第一駆動機構２００および第二駆動機構３００）を左右両側に備えている。このため、第一可動役物１５０は左右いずれか一方側から回転させられる場合に比べ、安定して第一位置と第二位置とに回転できる。
【００６５】
また、第二駆動機構３００についても第一駆動機構２００と同様に、第一演出装置１００は、連結軸棒１１０の回転によって第一可動役物１５０を回転させるために、少なくとも、１つの回転体３２０および第四ギヤ３５０を配置する空間と、第二揺動部材３３０が揺動する空間と、第二ラック３４０が移動する空間とを確保するだけでよい。特に、第二揺動部材３３０および第二ラック３４０は、それぞれ、少なくとも一方向に延びている部材であればよいため、ギヤのように円形の部材を配置する空間よりも小さい空間を確保するだけでよい。従って、第一演出装置１００は、大型化を抑制しつつ、連結軸棒１１０の回転によって第一可動役物１５０を回転させることができる。
【００６６】
なお、第一可動役物１５０を第二位置から第一位置に回転させる場合の第一演出装置１００の動作は、各部材の動作方向が、第一可動役物１５０が第一位置から第二位置に回転する場合の動作方向と反対になる点のみが異なるため、説明を省略する。
【００６７】
以上説明したように、連結軸棒１１０の左端部１１０Ａには、第一ギヤ２１０および第二ギヤ２２０を介して第一モータ６１が連結され、右端部１１０Ｂには回転体３２０が連結されている。このため、第一モータ６１が連結軸棒１１０を回転駆動すると、連結軸棒１１０の回転に伴って回転体３２０が回転する。また、離隔方向に長さを有する第三穴３３５を形成する第三開口壁部３３３が、第三対向面３３２のうち、回転体３２０と左右方向に対向する部位において、軸線Ｐ３および軸線Ｐ４のそれぞれから離隔する位置に設けられている。第三挿入部３２１が、回転体３２０において、軸線Ｐ３および軸線Ｐ４のそれぞれから離隔する位置に設けられている。第三穴３３５には、第三挿入部３２１材が離隔方向に移動可能に挿入されている。このため、回転体３２０が回転した場合、第三挿入部３２１は第三穴３３５を離隔方向に移動しながら第三開口壁部３３３を押圧する。これにより、第二揺動部材３３０は、軸線Ｐ４を中心に揺動する。離隔方向に長さを有する第四穴３３６を形成する第四開口壁部３３４が、第二揺動部材３３０において、軸線Ｐ３および軸線Ｐ４のそれぞれから離隔する位置に設けられている。第四挿入部３４４が、第四対向面３４３のうち第二揺動部材３３０と対向する部位において、軸線Ｐ３および軸線Ｐ４のそれぞれから離隔する位置に設けられている。第四穴３３６には、第四挿入部３４４が離隔方向に移動可能に挿入される。これにより、第二揺動部材３３０の揺動に伴って、第四開口壁部３３４が第四挿入部３４４を押圧するため、第二ラック３４０が上下方向に移動する。第二ラック３４０が上下方向に移動すると、上下方向に延びる第二ラック３４０の歯部３４１に噛み合う第四ギヤ３５０が回転する。第四ギヤ３５０の回転に伴って、第一可動役物１５０が移動する。これによれば、第一演出装置１００は、連結軸棒１１０の回転によって第一可動役物１５０を移動させるために、少なくとも、１つの回転体３２０および第四ギヤ３５０を配置するための空間と、第二揺動部材３３０が揺動する空間と、第二ラック３４０が移動する空間とを確保するだけでよい。従って、第二ラック３４０が上下方向に移動するため、第一演出装置１００は連結軸棒１１０と第一可動役物１５０とが離れて配置されても、大型化を抑制できる。さらに、第一モータ６１の駆動力は、一本の連結軸棒１１０によって回転体３２０に伝達される。このため、第一演出装置１００は、第一モータ６１と回転体３２０との間に空間を確保できる。従って、第一演出装置１００は、大型化を抑制しつつ、第一モータ６１と回転体３２０との間に空間を確保できる。
【００６８】
また、第一可動役物１５０の回転中心を通る軸線Ｐ０が第四ギヤ３５０の回転中心を通るため、第四ギヤ３５０は、回転することで例えば他の第四ギヤ３５０等を介さずに第一可動役物１５０を回転できる。従って、第一演出装置１００は、大型化を抑制しつつ、第一可動役物１５０を回転できる。
【００６９】
また、第一可動役物１５０は、第一延出部１５３から第二延出部１５４まで軸線Ｐ０から離隔する方向に膨らんでいる。このため、第一可動役物１５０の回転軌跡は、軸線Ｐ０の周りを通る。従って、第一演出装置１００は第一可動役物１５０が回転しても、第一延出部１５３と第二延出部１５４との間に空間を確保できる。
【００７０】
なお、本実施形態において、第一演出装置１００が本発明の「演出装置」に相当する。第一演出装置１００の左右方向が本発明の「第一方向」に相当する。左端部１１０Ａが本発明の「第一部分」に相当する。右端部１１０Ｂが本発明の「第二部分」に相当する。第一モータ６１が本発明の「駆動手段」に相当する。軸線Ｐ３が本発明の「第一軸線」に相当する。回転体３２０が本発明の「回転体」に相当する。第三対向面３３２のうち、回転体３２０と左右方向に対向する部位が本発明の「第一対向部」に相当する。軸線Ｐ４が本発明の「第二軸線」に相当する。第二揺動部材３３０が本発明の「揺動部材」に相当する。離隔方向が本発明の「第二方向」に相当する。第三穴３３５が本発明の「第一穴」に相当する。第三開口壁部３３３が本発明の「第一開口壁部」に相当する。第三挿入部３２１が本発明の「第一挿入部」に相当する。第四対向面３４３のうち、第二揺動部材３３０と対向する部位が本発明の「第二対向部」に相当する。歯部３４１が本発明の「歯部」に相当する。第一演出装置１００の上下方向が本発明の「第三方向」に相当する。第二ラック３４０が本発明の「ラック」に相当する。第四穴３３６が本発明の「第二穴」に相当する。第四開口壁部３３４が本発明の「第二開口壁部」に相当する。第四挿入部３４４が本発明の「第二挿入部」に相当する。第四ギヤ３５０が本発明の「ギヤ」に相当する。第二延出部１５４が本発明の「第一端部」に相当する。第一可動役物１５０が本発明の「可動役物」に相当する。軸線Ｐ０が本発明の「第三軸線」に相当する。右フレーム３１Ｃが本発明の「第一支持部」に相当する。第一延出部１５３が本発明の「第二端部」に相当する。左フレーム３１Ｂが本発明の「第二支持部」に相当する。
【００７１】
また、本発明は、上記実施形態に限定されるものではなく、本発明の趣旨を逸脱しない範囲内において種々の変更が可能であることは勿論である。なお、以下例示する、第一駆動機構２００についての変形例は、第二駆動機構３００にも同様に適用できる。
【００７２】
第一開口壁部２３３は、第二ギヤ２２０に設けられてもよい。この場合、第一挿入部２２１は、第一対向面２３２に設けられればよい。すなわち、第一開口壁部２３３は第二ギヤ２２０および第一対向面２３２のいずれか一方に設けられればよく、第一挿入部２２１は、第二ギヤ２２０および第一対向面２３２のいずれか他方に設けられればよい。また、第一開口壁部２３３によって形成される第一穴２３５は、貫通孔でなくてもよい。すなわち、第一開口壁部２３３は、第一穴２３５として少なくとも凹んだ窪みを形成すればよい。
【００７３】
また、第二開口壁部２３４は、第一ラック２４０に設けられてもよい。この場合、第二挿入部２４４は、第一対向面２３２に設けられればよい。すなわち、第二開口壁部２３４は第一ラック２４０および第一対向面２３２のいずれか一方に設けられればよく、第二挿入部２４４は、第一ラック２４０および第一対向面２３２のいずれか他方に設けられればよい。また、上記実施形態において、第二開口壁部２３４は、第一開口壁部２３３に対して軸線Ｐ２とは反対側に設けられているが、第一開口壁部２３３に対して軸線Ｐ２側に設けられてもよい。また、第一揺動部材２３０と第一ラック２４０とは左右方向に対向しなくてもよい。また、第二開口壁部２３４によって形成される第二穴２３６は、貫通孔でなくてもよい。すなわち、第二開口壁部２３４は、第二穴２３６として少なくとも凹んだ窪みを形成すればよい。
【００７４】
また、第二ギヤ２２０は、第一ギヤ２１０を介さず、第一モータ６１の駆動軸６１Ａに直接連結してもよい。この場合、第二ギヤ２２０は、歯部を有さない単なる回転体でよい。この構成によれば、部品点数が減るため、第一演出装置１００の大型化がより抑制される。
【００７５】
また、上記実施形態では、空間１０１に第二演出装置４００が配置されるが、これに限定されない。例えば、第一演出装置１００は、空間１０１に表示手段等を配置してもよい。このように、第一演出装置１００は、空間１０１を有効活用できる。つまり、空間１０１にはいずれの部材が配置されてもよいし、またはいずれの部材も配置されなくてもよい。
【００７６】
また、上記実施形態では、第一可動役物１５０は回転するが、第一可動役物１５０の動きはこれに限定されず、他のギヤ、カム等を介して直動、揺動等してもよい。また、第一可動役物１５０の形状も上記実施形態に限定されず、第一装飾部１５１が軸線Ｐ０上に配置されるようなものであってもよい。また、上記実施形態では、第一可動役物１５０は、左フレーム３１Ｂおよび右フレーム３１Ｃによって左右両側から回転可能に支持されているが、左フレーム３１Ｂおよび右フレーム３１Ｃのうち少なくともいずれか一方に支持されればよい。
【００７７】
また、上記実施形態では、連結軸棒１１０は、第一ギヤ２１０および第二ギヤ２２０を介して第一モータ６１と連結するが、これに限定されない。例えば、連結軸棒１１０は、他のギヤ等を介して第一モータ６１と連結してもよいことは勿論のこと、第一モータ６１と直接連結してもよい。
【００７８】
また、案内凸部２４２および案内凹部３７は、上記実施形態に限定されない。例えば、左フレーム３１Ｂに案内凸部２４２が設けられ、第一ラック２４０に案内凹部３７が設けられてもよい。
【００７９】
また、上記実施形態では、第一演出装置１００は、第一駆動機構２００を備えなくてもよい。この場合、第一演出装置１００の大型化がより抑制される。
【００８０】
さらには、特許請求の範囲、明細書、および図面に記載される全ての要素は、個数を意識的に限定する明確な記載がない限り、物理的に単一であっても複数であっても構わないし、適宜配置の変更が行われても構わない。また、特許請求の範囲や明細書等で使用している要素名（要素に付けた名称）は、単に本件の記載のために便宜上付与したに過ぎないものであり、それによって特別な意味が生じることを特に意識したものではない。すなわち、要素名のみによって要素が何であるかが限定解釈されるものではない。例えば、「駆動手段」は、ハード単体でも、ソフトを含んだものであっても構わない。さらには、全ての要素のうちの複数の要素を適宜一体的に構成するか、もしくは一つの要素を複数の要素に分けて構成するかは、特許請求の範囲等において特定していない限り、いずれも当業者であれば極めて容易に考えられる事項であるため、敢えて明細書等において全てのパターンを記載しなくてもいずれのパターンも想定範囲内であることから本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【符号の説明】
【００８１】
１    遊技機
３１Ｂ    左フレーム
３１Ｃ    右フレーム
３６    支持部
６１    第一モータ
１００    第一演出装置
１０１    空間
１１０    連結軸棒
１１０Ａ    左端部
１１０Ｂ    右端部
１５０    第一可動役物
１５３    第一延出部
１５４    第二延出部
３２０    回転体
３２１    第三挿入部
３３０    第二揺動部材
３３２    第三対向面
３３３    第三開口壁部
３３４    第四開口壁部
３３５    第三穴
３３６    第四穴
３４０    第二ラック
３４１    歯部
３４３    第四対向面
３４４    第四挿入部
３５０    第四ギヤ
Ｐ０〜Ｐ４    軸線
【図１】
0006646279.tif 000002
【図２】
0006646279.tif 000003
【図３】
0006646279.tif 000004
【図４】
0006646279.tif 000005
【図５】
0006646279.tif 000006
【図６】
0006646279.tif 000007
【図７】
0006646279.tif 000008
【図８】
0006646279.tif 000009
【図９】
0006646279.tif 000010
【図１０】
0006646279.tif 000011